(57)【要約】【課題】本開示は、外観品位向上と、生産性向上を図る洗濯機を提供する。【解決手段】洗濯機本体１と、洗濯機本体１の上部を構成する上部枠体２と、上部枠体２の後部に配設される操作表示ユニット４と、上部枠体２の操作表示ユニット４の前方位置に形成した洗濯物の投入口３１と、投入口３１を開閉自在に閉塞する蓋体３とを備え、蓋体３には、端部のヒンジ部１１１から内側に向かって蓋体３を上部枠体２に回動自在に支持する蓋体軸部１１２を設け、蓋体軸部１１２は、空間部１６を有し、空間部１６には、蓋体３の支持軸となる蓋蝶番軸１８と、蓋体３を開放方向に付勢する蝶番バネ１７と、蓋蝶番軸１８と係合する軸孔１９ａを設けた蝶番取付板１９とを配設し、上部枠体２には、蓋体軸部１１２を支持するヒンジガイド溝２ｄを形成し、蓋体軸部１１２とヒンジガイド溝２ｄを操作表示ユニット４により覆う。【選択図】図５
2020174917.tif 000002
【特許請求の範囲】
【請求項１】
洗濯機本体と、前記洗濯機本体の上部を構成する上部枠体と、前記上部枠体の後部に配設される操作表示ユニットと、前記上部枠体の前記操作表示ユニットの前方位置に形成した洗濯物の投入口と、前記投入口を開閉自在に閉塞する蓋体と、を備え、
前記蓋体には、端部のヒンジ部から内側に向かって前記蓋体を前記上部枠体に回動自在に支持する蓋体軸部を設け、前記蓋体軸部は、空間部を有し、前記空間部には、前記蓋体の支持軸となる蓋蝶番軸と、前記蓋体を開放方向に付勢する蝶番バネと、前記蓋蝶番軸と係合する軸孔を設けた蝶番取付板とを配設し、
前記上部枠体には、前記蓋体軸部を支持するヒンジガイド溝を形成し、
前記蓋体軸部と前記ヒンジガイド溝を前記操作表示ユニットにより覆う洗濯機。
【発明の詳細な説明】
【技術分野】
【０００１】
本発明は、後方に操作表示部を備える洗濯機に関するものである。
【背景技術】
【０００２】
従来、洗濯機には、洗濯物の出入口を開閉自在に閉塞する蓋体が設けられる。蓋体は、ヒンジ構造により洗濯機に回転自在に取り付けられる。蓋体の開閉操作性を向上させるために、蓋体には、蓋体の開方向または閉方向への付勢力を生じさせる蝶番バネを備えている。蝶番バネは、蓋体に形成されたヒンジ部に一端が固定され、他端が洗濯機の上部枠体に取り付けられることにより、蓋体に開方向または閉方向への回動力を付勢している。
【０００３】
ヒンジ部には、内部に形成された空間部に、蓋体を軸支する蓋蝶番軸と、蝶番バネと、蓋蝶番軸と係合する蓋蝶番軸孔が設けられた蓋蝶番軸受とが、配設されている（例えば、特許文献１参照）。
【０００４】
以下に、特許文献１に記載の従来の洗濯機について、図６から図８を用いて説明する。
【０００５】
図６は、従来の洗濯機の蓋体閉塞状態の外観斜視図である。図７は、同洗濯機の蓋体開放状態の外観斜視図である。図８は、同洗濯機の蓋体の分解斜視図である。
【０００６】
従来の洗濯機は、洗濯機本体１の上部には、上部枠体２が載置され、上部枠体２には、蓋体３が開閉自在に軸支されている。上部枠体２の後方には、洗濯機１００の運転制御を行う操作表示ユニット４が配置されている。
【０００７】
蓋体３は、ヒンジ部１１１を有する後蓋体６と、後蓋体６に分割支点部５により回動自在に支持される前蓋体７とを有する。蓋体３には、前蓋体７の上面に把手部１０が形成され、把手部１０を持ち上げることによりヒンジ部１１１を支点として回動し、分割支点部５で折れ曲げられて開放される。
【０００８】
前蓋体７は、前蓋下体７Ａと、前蓋下体７Ａに載置される前蓋上体７Ｂとを有する。後蓋体６は、後蓋下体６Ａと、後蓋下体６Ａに載置される後蓋上体６Ｂとを有する。後蓋体６の左右のヒンジ部１１１には、ヒンジ部１１１の内部構造を覆うための蓋蝶番カバー１２が配設される。
【０００９】
上部枠体１５は、上部枠体２の後方の左右端部に、差込孔２ａが形成される。差込孔２ａに、蓋蝶番軸孔１３ａが設けられた蓋蝶番軸受１３が挿入され、取り付けネジ１４にて上部枠体２の裏面に一体形成されたネジボス２ｂに締結固着される。図８では、右側のヒンジ部１１１は、蓋蝶番軸受１３が分解された状態を示し、左側のヒンジ部１１１は、蓋蝶番軸受１３が取り付けられた状態を示している。また、後蓋下体６Ａと後蓋上体６Ｂとが組み合わされることにより、後蓋体６の左右にヒンジ部１１１が形成される。
【００１０】
ヒンジ部１１１内には、空間部１６が形成され、空間部１６には、蓋体３の開方向または閉方向への付勢力を付与する蝶番バネ１７と、後蓋体６を回転自在に支持する蓋蝶番軸１８と、蝶番取付板１９とが配設されている。
【００１１】
蝶番取付板１９は、金属鋼板等により構成されており、コの字形状に折り曲げられ形成され、蝶番取付板１９の両側面には、軸孔１９ａが設けられている。蓋蝶番軸１８は、蝶番取付板１９の両側の軸孔１９ａを貫通して支持され、両側の軸孔１９ａ間に蝶番バネ１
７のコイルの中心が貫通して保持される。蝶番バネ１７は、上部枠体２への係止部１７ａと、蓋体３への係止部１７ｂとを備えている。蝶番バネ１７、蓋蝶番軸１８および蝶番取付板１９とが組み立てられて、蓋体３の左右に蓋蝶番軸ユニット２１が形成される。
【００１２】
蓋蝶番軸ユニット２１は、蝶番取付板１９の引掛け凸部１９ｂが後蓋下体６Ａの空間部１６にツメ嵌合にて係合され、引掛け凸部１９ｂと離間した位置でネジ２０にて、後蓋体６に一体形成したネジ孔６ａに締結固着により取り付けられる。図８では、左側の蓋蝶番軸ユニット２１は、各構成部品が組み立てられた状態を示し、右側の蓋蝶番軸ユニット２１は、各構成部品が分解された状態を示している。蝶番バネ１７の係止部１７ｂは、蝶番取付板１９と後蓋下体６Ａとの間で固定される。上部枠体２の操作表示ユニット４の左右側面には、蓋体３を回転自在に支持するヒンジ軸２ｃが設けられ、蓋体３の左右のヒンジ部１１１それぞれの側面（操作表示ユニット４側の側面）に形成されたヒンジガイド溝６ｂにヒンジ軸２ｃが挿入されて蓋体３が保持される。
【先行技術文献】
【特許文献】
【００１３】
【特許文献１】特開２０１６−１８７３６９号公報
【発明の概要】
【発明が解決しようとする課題】
【００１４】
しかしながら、上記の蓋体は、ヒンジ部内部に蝶番バネ等を配設するために、ヒンジ部の横幅寸法が広くなり、操作表示部の横幅寸法を、筐体の横幅寸法と略同一にできないという外観品位上の課題を有している。
【００１５】
本発明は、上記従来の課題を解決するもので、外観品位の向上を図る洗濯機を提供することを目的とする。
【課題を解決するための手段】
【００１６】
本開示の洗濯機は、洗濯機本体と、前記洗濯機本体の上部を構成する上部枠体と、前記上部枠体の後部に配設される操作表示ユニットと、前記上部枠体の前記操作表示ユニットの前方位置に形成した洗濯物の投入口と、前記投入口を開閉自在に閉塞する蓋体と、を備え、前記蓋体には、端部のヒンジ部から内側に向かって前記蓋体を前記上部枠体に回動自在に支持する蓋体軸部を設け、前記蓋体軸部は、空間部を有し、前記空間部には、前記蓋体の支持軸となる蓋蝶番軸と、前記蓋体を開放方向に付勢する蝶番バネと、前記蓋蝶番軸と係合する軸孔を設けた蝶番取付板とを配設し、前記上部枠体には、前記蓋体軸部を支持するヒンジガイド溝を形成し、前記蓋体軸部と前記ヒンジガイド溝を前記操作表示ユニットにより覆う構成とするものである。
【発明の効果】
【００１７】
本開示における洗濯機は、外観品位の向上を図ることができる。
【図面の簡単な説明】
【００１８】
【図１】本発明の実施の形態における洗濯機の蓋体閉塞状態の外観図
【図２】同洗濯機の蓋体開放状態の外観図
【図３】同洗濯機の蓋体の分解斜視図
【図４】同洗濯機の蓋体の蓋体軸部を示す斜視図
【図５】同洗濯機の蓋体の上部枠体への取付構造を示す分解斜視図
【図６】従来の洗濯機の蓋体閉塞状態の外観斜視図
【図７】同洗濯機の蓋体開放状態の外観斜視図
【図８】同洗濯機の蓋体の分解斜視図
【発明を実施するための形態】
【００１９】
本開示の洗濯機は、洗濯機本体と、前記洗濯機本体の上部を構成する上部枠体と、前記上部枠体の後部に配設される操作表示ユニットと、前記上部枠体の前記操作表示ユニットの前方位置に形成した洗濯物の投入口と、前記投入口を開閉自在に閉塞する蓋体と、を備え、前記蓋体には、端部のヒンジ部から内側に向かって前記蓋体を前記上部枠体に回動自在に支持する蓋体軸部を設け、前記蓋体軸部は、空間部を有し、前記空間部には、前記蓋体の支持軸となる蓋蝶番軸と、前記蓋体を開放方向に付勢する蝶番バネと、前記蓋蝶番軸と係合する軸孔を設けた蝶番取付板とを配設し、前記上部枠体には、前記蓋体軸部を支持するヒンジガイド溝を形成し、前記蓋体軸部と前記ヒンジガイド溝を前記操作表示ユニットにより覆う構成とするものである。
【００２０】
このような構成により、従来必要とされたヒンジ部の蝶番バネ等を配設するための空間を設ける必要がなくなり、ヒンジ部を小型にすることができる。これにより操作表示部の横幅寸法を、筐体の横幅寸法と略同一にすることができるため、操作表示ユニット周辺の外観品位の向上を図ることができる。
【００２１】
また、上部枠体に取り付けていた蓋蝶番軸受が不要なことに加え、蓋体を上部枠体ユニットに取り付け後に、蓋蝶番カバーを取り付ける工数が必要ないため、蓋体の組立、取外し作業性の向上を図ることができる。
【００２２】
以下、本発明の実施の形態について、図面を参照しながら説明する。本実施の形態によって本発明が限定されるものではない。
【００２３】
図１及び図２を用いて洗濯機１００の概略構成を説明する。
【００２４】
洗濯機本体１の上部には、上部枠体２が載置され、上部枠体２の後方には、洗濯機１００の運転制御を行う操作表示ユニット４が配置されている。上部枠体２には、操作表示ユニット４の前方位置に蓋体３が開閉自在に軸支されている。
【００２５】
図２に示すように、蓋体３は、ヒンジ部１１１を有する後蓋体６と、後蓋体６に分割支点部５により回動自在に支持される前蓋体７とを有する。蓋体３は、前蓋体７の上面に把手部１０が形成され、把手部１０を持ち上げることによりヒンジ部１１１を支点として回動し、分割支点部５で折れ曲げられて開放される。
【００２６】
図２に示すように、開状態の時の蓋体３は、分割支点部５が上方位置になるように折り畳まれ、上部枠体２の後方上部に位置する。上部枠体２には、衣類を投入するための投入口３１が形成されている。
【００２７】
図３に示すように、前蓋体７は、前蓋下体７Ａと、前蓋下体７Ａに載置される前蓋上体７Ｂとを有する。後蓋体６は、後蓋下体６Ａと、後蓋下体６Ａに載置される後蓋上体６Ｂとを有する。
【００２８】
操作表示ユニット４は、表示部４１と、操作ボタン４２を備える。使用者は、表示部４１に表示された洗濯運転情報を確認し、操作ボタン４２により洗濯運転に関する指示を設定することができる。操作表示ユニット４は、上部枠体２の後方部に配設されている。操作表示ユニット４が投入口３１の後方にあることで、使用者は、投入口３１へ洗濯物を出し入れしやすくなる。
【００２９】
操作表示ユニット４の横幅寸法は、蓋体３の横幅寸法と略同一となっている。操作表示
ユニット４の長辺と後蓋体６の間は、蓋体３が閉状態の際には、段差が生じないように構成されている。従って、蓋体３が閉状態である時、操作表示ユニット４と蓋体３とは、略同一な面を形成する。また、蓋体３は、開状態である場合は、操作表示ユニット４の後方に位置する。従って、使用者は、蓋体３が開状態である時にも、表示部４１の視認や操作ボタン４２の利用が可能である。
【００３０】
図３を用いて、蓋体３の構成を説明する。
【００３１】
前蓋体７は、前蓋下体７Ａと、前蓋下体７Ａ上に載置される前蓋上体７Ｂ、前蓋外周部７Ｃ、把手部１０とを有する。
【００３２】
後蓋体６は、後蓋下体６Ａと、後蓋下体６Ａ上に載置される後蓋上体６Ｂ、後蓋外周部６Ｃを有する。後蓋外周部６Ｃは、後蓋上体６Ｂの両側面に配置され、左右二箇所にそれぞれ設けられる。前蓋下体７Ａの後端部と、後蓋下体６Ａの前端部には、分割支点部５の一部がそれぞれ形成されている。
【００３３】
折れ蓋軸部ガイド板５０は、後蓋下体６Ａにおける分割支点部５の一部に、ネジ２３により固定されている。前蓋下体７Ａにおける分割支点部５の一部と、後蓋下体６Ａにおける分割支点部５の一部が係合し、係合部分を折れ蓋軸部ガイド板５０で覆うことで、前蓋体７と後蓋体６を回動可能に接続する。
【００３４】
また、後蓋下体６Ａと後蓋外周部６Ｃとを組み合わせることにより、後蓋体６の左右にヒンジ部１１１と、ヒンジ部１１１の内側に蓋体軸部１１２が形成される。
【００３５】
図４に示すように、蓋体軸部１１２には、空間部１６が形成され、空間部１６には、蓋体３を開放する方向に付勢する蝶番バネ１７と、後蓋体６を回転自在に支持する蓋蝶番軸１８と、蝶番取付板１９とが配設される。蝶番取付板１９は、金属鋼板等により構成されており、一部がコの字形状に折り曲げられて形成され、蝶番取付板１９のコの字形状の両側面には、軸孔１９ａが設けられる。蓋蝶番軸１８は、蝶番取付板１９の両側の軸孔１９ａを貫通して支持され、両側の軸孔１９ａ間に蝶番バネ１７の中心を貫通して保持される。蝶番バネ１７は、上部枠体２への係止部１７ａと、蓋体３への係止部１７ｂとを備えている。
【００３６】
蝶番バネ１７、蓋蝶番軸１８および蝶番取付板１９が後蓋下体６Ａの蓋体軸部１１２に配設されて、ネジ２２にて、後蓋下体６Ａに取り付けられる。蝶番バネ１７の係止部１７ｂは、蝶番取付板１９の孔１９ｂに固定され、係止部１７ａは、蓋体３から突出する。なお、図４は、後蓋上体６Ｂと後蓋外周部６Ｃは取り付けられていない状態を示している。
【００３７】
次に、図５に基づいて、ユニット化された蓋体３を上部枠体２に組み込む手順を説明する。
【００３８】
図５に示すように、上部枠体２の後方の左右端部には、蓋体３を回転自在に支持するヒンジガイド溝２ｄ、バネ差込孔２ｅが形成されている。ユニット化された蓋体３を上部枠体２に組み込む際には、蓋体３を開放した状態で上部枠体２に近接させ、蓋体３から突出した蝶番バネ１７の係止部１７ａを、上部枠体２のバネ差込孔２ｅに挿入し、蓋蝶番軸１８を、上部枠体２のヒンジガイド溝２ｄに嵌合させる。
【００３９】
蓋体３を上部枠体２に取り付けた後に、蓋体３の蓋体軸部１１２の一部を挟むように、蓋回転軸ガイド板６０をネジ２５にて上部枠体２に締結固着する。これにより、蓋体３は蓋体３の蓋体軸部１１２を中心にして回動可能になる。
【００４０】
次に、操作表示ユニット４を、蓋体３の蓋体軸部１１２を覆うように取り付け、ネジ２４にて上部枠体２に締結固着することで、蓋体３の蓋体軸部１１２等が外部から視認されないようになる。
【００４１】
また、蓋体３を上部枠体２から取り外す手順については、取り付ける手順と全く逆の手順にて容易に取り外しができる。
【００４２】
以上のように構成された洗濯機１００における蓋体３の構造について、以下に、その動作および作用を説明する。
【００４３】
本開示の洗濯機は、従来のように、蓋体３内部にヒンジ部１１１の蝶番バネ１７等を配設するための空間を設ける必要がなくなり、ヒンジ部１１１を小型にすることができるため、操作表示ユニット４のための空間を損なわない。
【００４４】
本実施の形態における操作表示ユニット４の横幅寸法は、蓋の横幅寸法と略同一にすることができるため、操作ボタン４２や表示部４１を幅広く配置することができる。これにより、操作ボタン４２の個数を増やす、或いは、操作ボタン４２間の間隔を広げることが可能となり、操作性が向上する。また、蓋体３の閉成状態、開放状態のいずれの状態においても、ヒンジ部１１１の存在を感じさせにくくなるため、操作表示ユニット４周辺の外観品位を向上させることができる。
【００４５】
操作表示ユニット４によって蓋体３の蓋体軸部１１２を覆っているため、操作表示ユニット４や上部枠体２の表面には、隙間や凹凸が存在しない。従って、洗剤等をこぼした場合でも容易に拭き取ることができる。また、隙間や凹凸に異物が侵入することにより蓋体３の開閉動作に不具合が生じることがなく、蓋体３の開閉動作の信頼性を向上することができる。
【００４６】
また、本開示の洗濯機は、従来，上部枠体２側に取り付けていた蓋蝶番軸孔１３ａを設けた蓋蝶番軸受１３が必要なくなり、部品点数を削減することができるとともに、蓋体３の取り付け、取り外しの作業性を向上することができる。
【産業上の利用可能性】
【００４７】
以上のように、本発明は、洗濯機の蓋体の動作の信頼性を向上させることができるとともに、生産性およびデザイン性の向上、並びに、メンテナンスおよび掃除の利便性の向上を図ることができる洗濯機を提供することができる。よって、家庭用および業務用の各種洗濯機および洗濯乾燥機等に広く利用することができる。
【符号の説明】
【００４８】
１    洗濯機本体
２    上部枠体
２ａ    差込孔
２ｂ    ネジボス
２ｃ    ヒンジ軸
２ｄ    ヒンジガイド溝
２ｅ    バネ差込孔
３    蓋体
４    操作表示ユニット
５    分割支点部
６    後蓋体
６ａ    ネジ孔
６ｂ    ヒンジガイド溝
６Ａ  後蓋下体
６Ｂ  後蓋上体
６Ｃ  後蓋外周部
７    前蓋体
７Ａ  前蓋下体
７Ｂ  前蓋上体
７Ｃ  前蓋外周部
１０    把手部
１１１  ヒンジ部
１１２  蓋体軸部
１２    蓋蝶番カバー
１３    蓋蝶番軸受
１３ａ    蓋蝶番軸孔
１５    上部枠体ユニット
１６    空間部
１７    蝶番バネ
１７ａ    係止部
１７ｂ    係止部
１８    蓋蝶番軸
１９    蝶番取付板
１９ａ    軸孔
１９ｂ    孔
２１    蓋蝶番軸ユニット
３１    投入口
４１    表示部
４２    操作ボタン
５０    折れ蓋軸部ガイド板
６０    蓋回転軸ガイド板
【図１】
2020174917.tif 000003
【図２】
2020174917.tif 000004
【図３】
2020174917.tif 000005
【図４】
2020174917.tif 000006
【図５】
2020174917.tif 000007
【図６】
2020174917.tif 000008
【図７】
2020174917.tif 000009
【図８】
2020174917.tif 000010